(57)【要約】逆行通信信号チャネル上で無線環境を報告するための装置と方法。遠隔ユニット（ＲＵ）（１１８）と基幹施設の装置（１０９）との間の専用ＲＦ接続が解放されている時、ＲＵが基幹施設からメッセージを受信して、ＲＵが待機状態の間、逆行通信信号チャネル（ｒ−ｃｓｃｈ）上で不定期のパイロット強度を報告すべく命令される。好ましい実施例においては、パイロット強度の報告は、報告の最大回数や時間の制限があり、それによって、バッテリー寿命の保持やシステム中のｒ−ｃｓｃｈの過密を防止する。好ましくは、第２のメッセージである無線環境報告メッセージで、測定された最良のパイロットの強度や位相等の無線環境情報（ＲＥＩ）を送信して、基幹施設がＲＵの位置を追跡し、チャネル割り当てのための強力なパイロットを選択するのを支援する。
2006509469.tif 000002
【特許請求の範囲】
【請求項１】
専用に割り当てられたトラヒックチャネル源を有しない遠隔ユニットが無線環境を報告する方法であって、
逆高通常信号チャネル上で無線環境を報告すべく第１のメッセージを受信する工程と、
パイロットリストを初期化する工程と、
同パイロットリストを記憶する工程と、
該遠隔ユニットが無線環境情報を送信しなければならないか否かを判定する工程、であって、該遠隔ユニットが無線環境情報を送信しなければならない場合は、          
該パイロットリストを更新する工程と、
該無線環境情報を基幹施設の装置に送信する工程と、
からなる方法。
【請求項２】
第１のメッセージを受信する工程は、無線環境の報告の存続期間を制御するパラメータを受信する工程からなる請求項１に記載の方法。
【請求項３】
パラメータを受信する工程は、前記遠隔ユニットが前記基幹施設の装置に無線環境情報を送信するモードにある時間量に制限を設けるタイマー値からなる請求項２に記載の方法。
【請求項４】
パラメータを受信する工程は、前記遠隔ユニットが前記基幹施設の装置に送信する第２のメッセージの数の制限を受信する工程からなる請求項２に記載の方法。
【請求項５】
パイロットリストを初期化する工程が、該遠隔ユニットと該基幹施設の装置との間の専用ＲＦ接続が解放される直前のトラヒックチャネル上の最後のアクティブセットにパイロットリストを初期化する工程からなる請求項１に記載の方法。
【請求項６】
パイロットリストを初期化する工程が、その時のアクティブセットにパイロットセットを初期化する工程であって、同その時のアクティブセットは、前記遠隔ユニットが第１のメッセージを受信する時点のトラヒックチャネル上のアクティブセットである請求項１に記載の方法。
【請求項７】
遠隔ユニットが無線環境情報を送信しなければならないか否かを判定する工程が、
遠隔ユニットがパイロットリスト中に無いパイロットに待機状態でハンドオフする場合に該遠隔ユニットは無線環境情報を送信しなければならない、と判定する請求項１に記載の方法。
【請求項８】
第１のメッセージを受信した後にタイマーを始動させ、タイマーが終了すると無線環境の報告が終了する請求項３に記載の方法。
【請求項９】
第１のメッセージを受信した後に、第２のメッセージの計数器をゼロに初期化して、第１のメッセージを送信や受信した時には該第２のメッセージの計数器の値を加算し、該第２のメッセージの計数器の値が第２のメッセージの制限値と等しくなった時に、無線環境の報告が終了する請求項４に記載の方法。
【請求項１０】
前記遠隔ユニットが無線環境情報を送信する必要がない時に、トラヒックチャネル上に前記遠隔ユニットを配置するイベントが発生したか否かを判断して、イベントが発生した時には無線環境の報告を終了する請求項１に記載の方法。
【請求項１１】
基幹施設の装置に無線環境を報告する方法であって、
逆高通常信号チャネル上で無線環境を報告すべく遠隔ユニットに命令する第１のメッセー
ジを遠隔ユニットに送信する工程と、
パイロットリストを初期化する工程と、
第２のメッセージを受信したか否かを判定する工程と、
第２のメッセージを受信した時に、第２のメッセージ中に含まれる無線環境情報を記憶する工程と、
からなる方法。
【請求項１２】
記憶された無線環境情報を使用して遠隔ユニットの位置を判定する工程と、
トラヒックチャネルの割り当てを遠隔ユニットに送信する工程と、  
から更になる請求項１１に記載の方法。
【請求項１３】
第１のメッセージを送信する工程が、無線環境を報告する存続期間を制御するパラメータを送信する請求項１１に記載の方法。
【請求項１４】
パラメータを送信する工程が、前記遠隔ユニットが前記基幹施設の装置に無線環境情報を送信するモードにある時間量に制限を設けるタイマー値を送信する請求項１３に記載の方法。
【請求項１５】
パラメータを送信する工程が、前記遠隔ユニットが前記基幹施設の装置に送信する第２のメッセージの数の制限を送信する工程からなる請求項１３に記載の方法。
【請求項１６】
パイロットリストを初期化する工程が、該遠隔ユニットと該基幹施設の装置との間の専用ＲＦ接続が解放される直前のトラヒックチャネル上の最後のアクティブセットにパイロットリストを初期化する工程からなる請求項１１に記載の方法。
【請求項１７】
パイロットリストを初期化する工程が、その時のアクティブセットにパイロットセットを初期化する工程であって、同その時のアクティブセットは、前記遠隔ユニットが第１のメッセージを受信する時点のトラヒックチャネル上のアクティブセットである請求項１１に記載の方法。
【請求項１８】
一組の命令を記憶する記憶媒体であって、遠隔ユニットのプロセッサ中に搭載されると該遠隔ユニットは、
反転通常信号チャネル上で無線環境を報告するための第１のメッセージを受信する工程と、
パイロットリストを初期化する工程と、
同パイロットリストを記憶する工程と、
該遠隔ユニットが無線環境情報を送信しなければならないか否かを判定する工程、
であって、該遠隔ユニットが無線環境情報を送信しなければならない場合は、        
該パイロットリストを更新する工程と、
該無線環境情報を基幹施設の装置に送信する工程と、
を行う、記憶媒体。
【請求項１９】
一組の命令を記憶する記憶媒体であって、基幹施設の装置プロセッサ中に搭載されると該装置は、  
反転通常信号チャネル上で無線環境を報告すべく遠隔ユニットに命令する第１のメッセージを遠隔ユニットに送信する工程と、
パイロットリストを初期化する工程と、
第２のメッセージを受信したか否かを判定する工程と、
第２のメッセージを受信した時に、第２のメッセージ中に含まれる無線環境情報を記憶
する工程と、
を行う、記憶媒体。
【発明の詳細な説明】
【技術分野】
【０００１】
本発明は通信システムに関し、特には、通信装置の呼設定遅延を短縮させるための、無線環境の報告に関する。
【背景技術】
【０００２】
通信システムは、各ＢＴＳが応答サービスできる区域にある通信装置に通信サービスをする、複数の基地送受信局（ＢＴＳ）および他の施設、を備えた基幹施設（ｉｎｆｒａｓｔｒｕｃｔｕｒｅ）からなることは知られている。このような通信システムの一例はセルラ通信システムである。セルラシステムにおいては、通信を希望する遠隔装置（ＲＵ）（例えば、移動端末、携帯無線電話、個人用デジタルアシスタント、ページャー、ラップトップコンピュータ）は、そのＲＵが位置するカバレッジ範囲でサービスするＢＴＳに、チャネル要求メッセージを送信する。その要求メッセージを受信して、セルラシステムの基幹施設は通信のための通信チャネルを分配する。ＲＵはＢＴＳのサービスを介して、電話ネットワーク加入者や他のＲＵと通信を開始する。一般的に、ＢＴＳとＲＵとの間の多重接続無線通信は、音声、データ、ビデオ等の通信信号が送信される経路である、トラヒックチャネルとして知られる専用無線周波数（ＲＦ）チャネル（接続）を介して行われる。
【０００３】
ＲＵがアクティブ・パケットデータセッションに入り、ＲＵと基幹施設との間のデータ交換が終わると、ＲＵは待機状態に移行する。待機状態では、専用のＲＦ接続は解放されて、ＲＵはトラヒックチャネルから離れる。基幹施設がＲＵに送信すべきデータを有するときは、基幹施設はＲＵの現在位置を知らないので、基幹施設はＲＵを呼び出す。基幹施設は、ＲＵの位置を知るためには、ＲＵからの呼び出し応答を待たねばならない。次に、基幹施設は通信チャネルを割り当ててデータ送信を開始する。音声トラヒックの場合は、呼び出し／呼び出しの応答手法も可能であるが、データ送信の場合は、ＲＵが通信チャネルを割り当てられるのに多くの時間がかかるので不可能である。データ通信のための理想的な解決法は、ＲＵが常にチャネルを割り当てられているように、ユーザが思えることである。そうすれば、チャネル設定の遅延が最小になる。
【発明の開示】
【発明が解決しようとする課題】
【０００４】
従って、逆行通常信号チャネル上で無線環境を報告する装置と方法に関する必要性がある。そのような装置と方法は、トラヒックチャネルがオフになっているＲＵのチャネル割り当てをより迅速にするために使用され得る。
【課題を解決するための手段】
【０００５】
本発明は、ＲＵが逆行通常信号チャネル上で不定期にパイロット強度報告をするメカニズムである。それによって、基幹施設の装置がＲＵの位置を追跡して、そのＲＵから見て最良のパイロットを追跡できる。このメカニズムが働いて、ＲＵと基幹施設との間の専用ＲＦ接続が解放されると、ＲＵは、ＲＵが待機状態にいる間、逆行通常信号チャネル（ｒ−ｃｓｃｈ）上でパイロット強度を不定期に報告するために、基幹施設からＲＵに命令する第１のメッセージを受信する。待機状態では、ＲＵは専用ＲＦ接続を割り当てられない。好ましい実施例においては、パイロット強度報告は、バッテリー寿命を保持しシステムのｒ−ｃｓｃｈの過密を防ぐために、報告の最大の数や時間が制限される。好ましくは、第２のメッセージとして一般に呼ばれる無線環境報告メッセージは、測定されたパイロット強度や最高のパイロットの位相のような、無線環境情報（ＲＥＩ）を搬送して、基幹施設がＲＵ位置の追跡やチャネル割り当てのための強いパイロットの組の選択を支援する。
【発明を実施するための最良の形態】
【０００６】
そのメカニズムは下記のように動作する。ＲＵが待機状態の間に、ｒ−ｃｓｃｈ上で不定期無線環境の報告をするように、基幹施設がＲＵに命令する第１のメッセージをＲＵが受信する。待機状態の間に、ＲＵはパイロットリストを保持する。本発明の好ましい実施例では、ＲＵと基幹施設との間の専用ＲＦ接続が解放されてＲＵが待機状態に移行する直前に、トラヒックチャネル上の最後のアクティブセットにパイロットリストを初期化する。別の実施例においては、その方法は、ＲＵが第１のメッセージを受信した時にトラヒックチャネル上のアクティブセットとして形成される、アクティブセットにパイロットリストを初期化する。トラヒックチャネル上のアクティブセットは、ＲＵに割り当てられた前進トラヒックチャネル（Ｆｏｒｗａｒｄ  Ｔｒａｆｆｉｃ  Ｃｈａｎｎｅｌ）を含む、ＣＤＭＡチャネルと接続したパイロット・セットである。パイロットリストの初期化に続いて、ＲＵが待機状態の間は、ＲＵが、パイロットリストに含まれていないパイロットに待機状態でハンドオフをするとき、新しい報告が作成されて、基幹施設に送信されて、パイロットリストは更新される。所定の最大数の無線環境報告が送信されると、無線環境報告タイマーが失効すると、ＲＵがトラヒックチャネルに上に置かれると、あるいは、ＲＵが本発明には使えないＢＴＳにハンドオフすると、無線環境報告は終了する。
【０００７】
本発明の第１の態様において、専用のトラヒックチャネル源を割り当てられていない遠隔ユニットに無線環境の報告をする方法の好ましい実施例は、逆行通常信号チャネル上で無線環境の報告をすべく第１のメッセージを受信する；パイロットリストを初期化する；パイロットリストを記憶する；遠隔ユニットが無線環境情報を送信しなければならないか否かを判断する；遠隔ユニットが無線環境情報を送信しなければならない場合、パイロットリストを更新して基幹施設に送信する、からなる。
【０００８】
本発明の第２の態様においては、基幹施設の設備への無線環境の報告の方法の好ましい実施例は、遠隔ユニットに、遠隔ユニットが逆行通常信号チャネル上で無線環境の報告をすべく命令する第１のメッセージを送信する；パイロットリストを初期化する；第２のメッセージが受信されたか否かを判断する；第２のメッセージが受信された場合、第２のメッセージ中に含まれる無線環境情報を記憶する、からなる。
【０００９】
図１は、本発明で使用するシステムの機能ブロックダイアグラムを示す。特定のサービスセルをするＢＴＳとそのセル内にあるＲＵとの間をメッセージが送信される、セルラ電話システムや方法は良く知られているであろうから、本説明を簡単化するために、本発明に関連するセルラ電話システムの部分のみ述べる。図１は、アプリケーション・ホスト１０２で通信するための３つのＢＴＳ１１２，１１４、１１６を有するソフト・ハンドオフ中のＲＵ１１８を示す。ＲＵ１１８でのソフト・ハンドオフではないＢＴＳ１１７も示してある。アプリケーション・ホスト１０２は、情報をアップロードやダウンロードするためのパケットネットワーク１０４に接続している。パケットネットワーク１０４はＰＤＳＮ１０６に接続している。ＰＤＳＮ１０６は、パケットネットワーク１０４とパケットデータサービスのための基幹施設１０９と、の間のインタフェイスを行う。ＰＤＳＮ１０６は、Ａ１０／Ａ１１インタフェイス（３ＧＰＰ２Ａ.Ｓ０００１−Ａ、“３ＧＰＰ２アク
セス・ネットワーク・インタフェイス相互接続仕様”およびその続版中で特定）を介してＰＣＦ１０８と接続している。ＰＣＦ１０８は、ＰＤＳＮ１０６から受信したデータのバッファの役割をする。ＰＣＦ１０８は、Ａ８／Ａ９インタフェイス（３ＧＰＰ２Ａ.Ｓ０
００１−Ａ、およびその続版中で特定）を介して、選択と分配のユニット（ＳＤＵ）１１０と接続している。ＳＤＵ１１０は、ＲＵ１１８とＢＴＳ１１２、１１４、１１６との間のソフト・ハンドオフを維持する。ＳＤＵ１１０は又、ＢＴＳ１１２、１１４、１１６を介してＲＵ１１８からＰＣＦ１０８に送信するための、受信した最良のデータ伝送を選択して、ＲＵ１１８が、ＲＵ１１８がソフト・ハンドオフしているすべてのＢＴＳ１１２，１１４、１１６宛てのデータのコピーを分配する。ＢＴＳ１１２，１１４、１１６は、Ｒ
Ｕ１１８への専用ＲＦトラヒックチャネルで、送信すべきデータを送受信し、情報を制御する。本発明の好ましい実施例において、ＲＵ１１８によって送信された第２のメッセージは基幹施設１０９中に記憶される。
【００１０】
図５は、図１のＲＵ１１８と基幹施設の要素（ＰＣＦ１０８、ＳＤＵ１１０、およびＢＴＳ１１２，１１４，１１６，１１７）の単純化したブロックダイアグラムを示す。ＲＵ１１８と基幹施設の装置は、信号を受信、送信するために、それぞれ受信機５０２と送信機５０６とを含む。本発明の方法を実施するための命令を搭載しているプロセッサ５０４（当業界で周知のあらゆるマイクロプロセッサやコンピュータを含む）は、受信機５０２および送信機５０６と接続している。図１に示されている残りの装置とインタフェイスは当業界で周知なので、今後は記載しない。
【００１１】
図２は、本発明の方法の好ましい実施例のフローチャートを示す。ＲＵ１１８がトラヒックチャネル上にあり、ＲＵ１１８と基幹施設１０９との間でデータが伝送されないまま所定の時間が経つと、ＲＵ１１８は基幹施設１０９から、待機時間中にｒ−ｃｓｃｈ（工程２０２）で不定期無線環境報告を開始することを命令する第１のメッセージを受ける。好ましい実施例においては、専用ＲＦチャネルでデータ伝送されない期間が本方法の開始である。他の開始の方法を使用してもよい。好ましい実施例において、第１のメッセージは無線環境報告の期間を制御するパラメータを含む。そのパラメータはタイマーの値であり、及び／又は、第２のメッセージが、ＲＵ１１８が無線環境報告を終了する時を決定するために使用することに限定されるのが望ましい。タイマーの値は、ＲＵ１１８が基幹施設１０９に無線環境報告するモードにいる時間の制限を設定する。第２のメッセージの制限は、ＲＵ１１８が作成して基幹施設１０９に伝送する第２のメッセージの数の制限を設定する。工程２０４で、本方法は、ＲＵ１１８と基幹施設１０９との間のＲＦ接続が開放される直前に、トラヒックチャネル上の最後のアクティブセットにパイロットリストを初期化する。別の実施例においては、本方法は、現在のアクティブセット（前に規定した）にパイロットリストを初期化する。工程２０４で、本方法はパイロットリストを記憶して、待機状態に移行する。
【００１２】
図４は、ＢＴＳ１１２，１１４、１１６中のそれぞれのパイロットＡ，Ｂ，Ｃからなるトラヒックチャネルにあるアクティブセットの例を示す。ＲＵ１１８はトラヒックチャネル上にある間は、ＲＵ１１８によって監視されるアクティブセットは複数のパイロットを含み得る。この例では、これらのパイロットはＡ，Ｂ，Ｃ、なので、これらのパイロットは最初からパイロットリストに含まれる。ＲＵ１１８が待機状態に移行して待機状態にある間は、ＲＵ１１８によって監視されるアクティブセットは１つのパイロット、通常は最強のパイロットのみである。この例では、ＲＵ１１８はパイロットＡ，Ｂ，Ｃ，の最強のパイロットを監視する。ＲＵ１１８が待機状態にいる間、アクティブセットのパイロットが変わるような場所移動があってもよい。ＲＵ１１８がＡ，Ｂ，Ｃよりも強い、即ちＤのパイロットを感知した場合、ＲＵ１１８は待機状態でＤへハンドオフして、Ｄのみを監視する。この理論を用いて、そして図２を参照して、工程２０６で、ＲＵ１１８は、アクティブセットのパイロットが本発明のメカニズムに適合するか否かを判断する。答えがノーの場合は、無線環境報告（工程２１８）をできないので終了する。答えがイエスの場合は、ＲＵ１１８がＲＥＩを基幹施設１０９へ送る（工程２０８）必要があるか否かを判断する。例えば、ＲＵが、パイロットリストに無いパイロットに待機状態でハンドオフしたか否かを判断して、ハンドオフしたならば、ＲＥＩを基幹施設１０９へ送る（工程２０８）必要があるか否かを判断する。ＲＵ１１８がＲＥＩを送る必要がある場合は、ＲＥＩを含む第２のメッセージを作成して、ＲＥＩから更新されたパイロットリストを導出して、その更新されたパイロットリストを記憶する（工程２１０）。パイロットリストを更新するためのアルゴリズム例は、３ＧＰＰ２Ｃ.Ｓ０００４“ｃｄｍａ２０００スペクトル拡散
システムの信号リンクアクセス制御（ＬＡＣ）標準”のセクション２.１.１.４.１.５.２
に記載されている。パイロットリストを更新するための他のアルゴリズムも、本発明に使用され得る。
【００１３】
工程２１２において、本方法は第２のメッセ−ジを基幹施設１０９へ伝送する。次に、本方法は、パラメータが無線環境報告の終了を示唆しているか否か、を判断する。（工程２１６）。一実施例において、パラメータは、ＲＵ１１８が伝送し得る第２のメッセージの限定である。この実施例において、工程２０４でイタリックで示すように、本方法は第２のメッセージの回数器をゼロに初期化する（なぜならば、ＲＵ１１８は基幹施設１０９へなんらの報告も送っていない）。またこの方法は、第２のメッセージを送った後に第２のメッセージ回数器を増分して、工程２１６で第２のメッセージ回数器（送信したメッセージの数）を制限値と比較する（図２の破線）。制限数に達すると（工程２１６のイエスの線）、無線環境報告をディスエイブルにして（工程２１８）終了する。別の実施例においては、パラメータは、ＲＵ１１８が無線環境のモードにある時間の制限である。別の実施例においては、第１のメッセージを受信した後にタイマーを始動させ（工程２０４のイタリックで示す）、工程２１６で、時間制限に達したか否かを判断する。時間制限に達した場合、無線環境報告をディスエイブルにして（工程２１８）終了する。更に別の実施例においては、パラメータは第２のメッセージの制限と時間制限との両方を規定する。これら３つの実施例において、パラメータと比較して、無線環境報告終了が指示されない場合、工程２０６に進む。（工程の第２およびそれに続く動作の間、この方法は、アクティブセット・パイロットが変わったか否か、「新しい」アクティブセット・パイロットがこのメカニズムに適合するか否か、を判断する。）
工程２０８に戻って、ＲＵ１１８がＲＥＩを基幹施設１０９に伝送する必要が無い場合は、ＲＵ１１８がトラヒックチャネル上に置かれるべきイベントが起こったか否かを判断する（工程２１８）。答えがイエスならば、無線環境報告をディスエイブルにして（工程２１８）終了する。答えがノーならば、前述のように工程２１６に進む。ＲＵ１１８がトラヒックチャネル上に置かれるようなイベントが起こる少数の例をあげれば：ＲＵ１１８が基幹施設１０９に送るデータを有する；基幹施設１０９がＲＵ１１８に送るデータを有する、或いはＲＵ１１８が音声サービスの要求を受ける、等である。
図２の好ましい実施例は、工程が進んで行く１つの順序を示す。例えば、工程２０６，２０８、２１４、２１６は、特定の設計や選択した実施法によって、別の順序で行われてもよいし、同時に行われてもよい。
【００１４】
図３のフローダイアグラムに戻って、基幹施設１０９における本方法の好ましい実施例を述べる。特に、好ましい実施例はＳＤＵ１１０を参照して述べる。しかしながら本方法は、基幹施設１０９内で他の装置を用いても実施され得る。本方法は、周知のマイクロプロセッサやコンピュータで実施され得る。本方法は工程３０２で、好ましくは、基幹施設１０９が、基幹施設１０９とＲＵ１１８との間のＲＦ接続でデータが無い時を検出した時に開始する。前述のように、他の要因で開始してもよい。
【００１５】
基幹施設１０９が第１のメッセージを送って、待機状態の間にｒ−ｃｓｃｈ上で不定期無線環境を報告すべくＲＵ１１８に命令する。第１のメッセージは、前述のように、無線環境報告の持続期間を制御するパラメータを含む。パラメータが第２のメッセージの数についての制限ならば、ＲＵ１１８は、工程３０４で、第２のメッセージの計数器をゼロに初期化して、送信することができる（なぜならば、ＳＤＵ１１０はＲＵ１１８から未だなんらの報告も受けていない）。パラメータが無線環境報告の時間制限ならば、タイマーを始動する。パラメータが第２のメッセージの制限と時間制限の両方を含んでいる場合は、第２のメッセージの計数器とタイマーを始動する。工程３０４では、ＲＵ１１８と基幹施設１０９との間のＲＦ接続が解放される直前に、トラヒックチャネル上の最後のアクティブセットへパイロットリストを初期化する。別の実施例においては、トラヒックチャネル上の今のアクティブセットへパイロットリストを初期化する。
【００１６】
工程３０６では、ＳＤＵ１１０がＲＵ１１８から第２のメッセージを受けたか否かを問い合わせる。第２のメッセージを受けていない場合は、工程３１４に進む（後述）。第２のメッセージを受けている場合は、そのメッセージ中に含まれるＲＥＩを記憶する（工程３０８）。ＳＤＵ１１０は記憶されたＲＥＩを用いて、ＳＤＵＲＵ１１８にチャネル割り当てをする必要がある時にＲＵ１１８の位置を特定する。ＳＤＵ１１０は又、ＲＥＩと一緒に記憶されたパイロット強度を使用して、強いパイロットセットを選択して、チャネル割り当て中に含ませる。
【００１７】
工程３１２で、無線環境報告の終了をパラメータが指示しているか否かを判断する。パラメータが、ＲＵ１１８が伝送できる第２のメッセージの制限ならば、第２のメッセージの計数器を加算して（破線で示す工程３１０）、工程３１２で、第２のメッセージ計数器（受信したメッセージの数）を制限値と比較する。メッセージが制限値に達すると終了する。終了すると、ＳＤＵ１１０はＲＥＩを解消しても、一定時間保存してもよい。パラメータが無線環境報告の時間制限ならば、工程３１２で、時間制限に達したか否かを判断する。時間制限に達していれば終了する。工程３１２で、パラメータと比較して、無線環境報告を終了すべきという指示がなされない場合は、工程３１４に進む。
【００１８】
工程３１４で、ＲＵ１１８にトラヒックチャネルの割り当てをするイベントが発生したか否かを判断する。イベントが発生した場合、そのイベントがＲＵ１１８によるトラヒックチャネル要求か否かを判断する（工程３１６）。イベントがＲＵ１１８によるトラヒックチャネル要求でない場合は、記憶されたＲＥＩを使用して、ＲＵの位置を特定し、チャネル割り当て中に含まれる強いパイロットセットを選択して、トラヒックチャネル割り当てを送信して（工程３１８）終了する。工程３１４で、ＲＵ１１８にトラヒックチャネルの割り当てをするイベントが発生しなかった場合、工程３０６に進んで、処理を続行する。
【００１９】
図３の好ましい実施例は、工程が進む１つの順序を示す。これらの工程、特に３１２、３１４は、選択される設計や実施法によって、異なったり同時に行われてもよい。
本発明は、トラヒックチャネルＲＵを設定するための、呼の設定時間を短縮する。ＳＤＵ１１０が、ＲＵの位置を迅速に特定して、チャネル割り当てのためのアクティブセット・パイロットの最良の設定を判定し得る、無線環境報告を受け取ると、呼び出し／呼び出しの応答手順が削除できる。呼の設定時間節減は、高速で正確な情報アクセスへの要求が高いパケットデータシステムにとって特に重要である。本発明は、呼び出し／呼び出しの応答の使用やＳＭＳでの呼び出し区域送信よりも、数セルに亘る移動端末、（ＳＭＳ等の）移動直接メッセージ等のＲＵを送信するために使用され得る。これは呼び出しチャネル帯域を向上させ、ＳＭＳ送信遅延を節減する。
【００２０】
本発明は種々の改良や別の形式にも対応できるが、図中の例として示した特定の実施例について詳細に説明した。しかしながら、本発明は開示した特定の形式に限定されることを意図したものではない。本発明は、付記の請求項で規定された本発明の精神や範囲内にある、すべての修正、改良、同等なものをカバーする。
【図面の簡単な説明】
【００２１】
【図１】本発明の装置と方法を実施するために使用されるシステムの機能ブロックダイアグラム。
【図２】遠隔ユニット中で本発明の方法の好ましい実施例のフローチャート。
【図３】基幹施設中で本発明の方法の好ましい実施例のフローチャート。
【図４】３つのＢＴＳのサービス区域Ａ，Ｂ，Ｃ、でソフト・ハンドオフする遠隔ユニットであって、トラヒックチャネルから解放されて、３つのＢＴＳのサービス区域Ａ，Ｂ，Ｃ、の１つで待機状態になり、次に、第４のＢＴＳサービス区域Ｄに待機状態でハンドオフする遠隔ユニットのダイアグラム。
【図５】本発明を実施するために使用される遠隔ユニット／基幹施設の装置の単純化された機能ブロックダイアグラム。
【図１】
2006509469.tif 000003
【図２】
2006509469.tif 000004
【図３】
2006509469.tif 000005
【図４】
2006509469.tif 000006
【図５】
2006509469.tif 000007
【国際調査報告】
2006509469.tif 000008